(57)【要約】【課題】リング形状を有する表示装置において、防水機能などの機能を実現すべく、表示パネルを密閉状態で収納する。【解決手段】リング形状あるいはリング形状に形成可能、かつ、各種情報を表示する表示パネル２０と、表示パネル２０を支持するリング形状の支持部材１２と、リング形状を有し、支持部材１２により支持されている表示パネル２０の表面側に配置されて表示パネル１２を保護するための透明部材１１と、支持部材１２に嵌合されるとともに、支持部材１２および透明部材１１と協働して表示パネル２０を収納するリング状の蓋部材１３、１４と、を備える。【選択図】図２
2007072434.tif 000002
【特許請求の範囲】
【請求項１】
リング形状あるいはリング形状に形成可能、かつ、各種情報を表示する表示部と、
前記表示部を支持するリング形状の支持部材と、
リング形状を有し、前記支持部材により支持されている前記表示部の表面側に配置されて前記表示部を保護するための透明部材と、
前記支持部材に嵌合されるとともに、前記支持部材および前記透明部材と協働して前記表示部を収納するリング状の蓋部材と、
を備えたことを特徴とする表示装置。
【請求項２】
請求項１記載の表示装置において、
前記蓋部材は、前記支持部材の軸方向の一方の端部に螺合される第１蓋部材と、
前記支持部材の軸方向の他方の端部に螺合される第２蓋部材と、
を備えていることを特徴とする表示装置。
【請求項３】
請求項１記載の表示装置において、
前記蓋部材は、前記支持部材の軸方向の一方の端部に螺合され、
前記支持部材は、前記軸方向の他方の端部に、前記透明部材を前記蓋部材と協働して挟持するための挟持部を有する、
ことを特徴とする表示装置。
【請求項４】
請求項１記載の表示装置において、
前記支持部材は、軸方向の一方の端部に挟持部を有し、
前記蓋部材は、前記軸方向の他方の端部に嵌合、固定されて、前記透明部材を前記挟持部と協働して挟持する嵌合部を有する、
ことを特徴とする表示装置。
【請求項５】
請求項４記載の表示装置において、
前記支持部材は、ねじを受けるためのねじ受け部を有し、
前記蓋部材は、ねじ孔部を有し、当該ねじ孔部を介して前記ねじが前記ねじ受け部に螺合され、かつ、前記嵌合部を嵌合させて、前記軸方向の他方の端部に前記蓋部材を固定した、
ことを特徴とする表示装置。
【請求項６】
請求項５記載の表示装置において、
前記ねじ受け部は、前記軸方向とは垂直方向に立設され、
前記ねじ孔は、前記蓋部材の前記軸方向と垂直方向において略中央位置に設けられている、
ことを特徴とする表示装置。
【請求項７】
請求項４記載の表示装置において、
前記支持部材は、係止部を有し、
前記蓋部材は、可撓性の腕部および前記腕部に支持される係合部を有し、
前記腕部を撓ませつつ前記蓋部材の嵌合部を前記支持部材の他方の端部側から圧入し、前記係合部を前記係止部に係合させ、かつ、前記嵌合部を嵌合させて、前記蓋部材を前記支持部材の前記軸方向の他方の端部に固定した、
ことを特徴とする表示装置。
【請求項８】
請求項４記載の表示装置において、
前記嵌合部は、前記支持部材の軸方向の一方の端部に圧入されて嵌合されることを特徴とする表示装置。
【請求項９】
請求項１ないし請求項８のいずれかに記載の表示装置において、
前記蓋部材と、前記支持部材および前記透明部材との間にはそれぞれシール部材が設けられており、
前記表示部は、密閉状態で収納されていることを特徴とする表示装置。
【請求項１０】
リング形状あるいはリング形状に形成可能、かつ、各種情報を表示する表示部と、
透明部材で形成されるとともに、前記表示部を収納するための断面リング状の収納溝が形成されたリング形状の支持部材と、
前記支持部材に螺合されるとともに、前記支持部材と協働して前記表示部を収納するリング状の蓋部材と、
を備えたことを特徴とする表示装置。
【請求項１１】
請求項１０記載の表示装置において、
前記蓋部材と、前記支持部材との間にはシール部材が設けられており、
前記表示部は、密閉状態で収納されていることを特徴とする表示装置。
【発明の詳細な説明】
【技術分野】
【０００１】
本発明は、表示装置に係り、特にリング形状を有する表示装置における表示部の収納構造に関する。
【背景技術】
【０００２】
従来より、身体に装着可能な各種の表示装置が知られている。
これらの表示装置において、消費電力および薄型化などの観点から、電気泳動現象を利用した電気泳動表示装置が提案されている（例えば、特許文献１参照）。
いわゆる電気泳動現象は、従来から知られており、液体中に分散した帯電粒子が電界印加により泳動する現象である。
この種の電気泳動表示装置にあっては、一対の電極間に、少なくとも１種の電気泳動粒子（帯電粒子）を含む電気泳動分散液が封入され、これらの一対の電極間に電圧を印加して電気泳動分散液に電界を作用させることにより、電気泳動分散液中の電気泳動粒子の分布状態を変化させることによって、表示が行われる。
【特許文献１】特開平１−８６１１６号公報
【発明の開示】
【発明が解決しようとする課題】
【０００３】
ところで、上記従来の表示装置は、表示装置はあくまで表示対象の情報を表示するだけの機能が持たされているだけであり、防水機能などの機能面においては十分では無いという問題点があった。
特に腕などに装着するリング形状の表示装置を構成しようとする場合には、表示パネルを密閉状態で収納する構成として好適なものは提案されていなかった。
そこで、本発明の目的は、リング形状を有する表示装置において、防水機能などの機能を実現すべく、表示パネルを密閉状態で収納することが可能な表示装置を提供することにある。
【課題を解決するための手段】
【０００４】
上記課題を解決するため、本発明は、リング形状あるいはリング形状に形成可能、かつ、各種情報を表示する表示部と、前記表示部を支持するリング形状の支持部材と、リング形状を有し、前記支持部材により支持されている前記表示部の表面側に配置されて前記表示部を保護するための透明部材と、前記支持部材に嵌合されるとともに、前記支持部材および前記透明部材と協働して前記表示部を収納するリング状の蓋部材と、を備えたことを特徴としている。
上記構成によれば、蓋部材は、支持部材に螺合されるとともに、支持部材および透明部材と協働して表示部を収納する。
【０００５】
この場合において、前記蓋部材は、前記支持部材の軸方向の一方の端部に螺合される第１蓋部材と、前記支持部材の軸方向の他方の端部に螺合される第２蓋部材と、備えているようにしてもよい。
また、前記蓋部材は、前記支持部材の軸方向の一方の端部に螺合され、前記支持部材は、前記軸方向の他方の端部に、前記透明部材を前記蓋部材と協働して挟持するための挟持部を有するようにしてもよい。
さらに、前記支持部材は、軸方向の一方の端部に挟持部を有し、前記蓋部材は、前記軸方向の他方の端部に嵌合、固定されて、前記透明部材を前記挟持部と協働して挟持する嵌合部を有するようにしてもよい。
さらにまた、前記支持部材は、ねじを受けるためのねじ受け部を有し、前記蓋部材は、ねじ孔部を有し、当該ねじ孔部を介して前記ねじが前記ねじ受け部に螺合され、かつ、前記嵌合部を嵌合させて、前記軸方向の他方の端部に前記蓋部材を固定するようにしてもよい。
【０００６】
また、前記ねじ受け部は、前記軸方向とは垂直方向に立設され、前記ねじ孔は、前記蓋部材の前記軸方向と垂直方向において略中央位置に設けられているようにしてもよい。
さらに、前記支持部材は、係止部を有し、前記蓋部材は、可撓性の腕部および前記腕部に支持される係合部を有し、前記腕部を撓ませつつ前記蓋部材の嵌合部を前記支持部材の他方の端部側から圧入し、前記係合部を前記係止部に係合させ、かつ、前記嵌合部を嵌合させて、前記蓋部材を前記支持部材の前記軸方向の他方の端部に固定するようにしてもよい。
さらにまた、前記嵌合部は、前記支持部材の軸方向の一方の端部に圧入されて嵌合されるようにしてもよい。
さらに、前記蓋部材と、前記支持部材および前記透明部材との間にはそれぞれシール部材が設けられており、前記表示部は、密閉状態で収納されているようにしてもよい。
【０００７】
また、リング形状あるいはリング形状に形成可能、かつ、各種情報を表示する表示部と、透明部材で形成されるとともに、前記表示部を収納するための断面リング状の収納溝が形成されたリング形状の支持部材と、前記支持部材に螺合されるとともに、前記支持部材と協働して前記表示部を収納するリング状の蓋部材と、を備えたことを特徴としている。
上記構成によれば、蓋部材は、支持部材に螺合されるとともに、支持部材と協働して表示部を収納する。
この場合において、前記蓋部材と、前記支持部材との間にはシール部材が設けられており、前記表示部は、密閉状態で収納されているようにしてもよい。
【発明の効果】
【０００８】
本発明によれば、リング形状を有する表示装置において、防水機能などの機能を実現すべく、簡易な構成で容易に表示パネルを密閉状態で収納することができる。
【発明を実施するための最良の形態】
【０００９】
次に図面を参照して本発明の好適な実施の形態について説明する。
［１］第１実施形態
図１は実施形態の表示装置の外観斜視図である。
表示装置１０は、大別すると、後述する内部の表示パネルが視認可能なように透明材料で円筒形状に形成された透明部材１１と、後述する表示パネルを支持する円筒形状の支持部材１２と、支持部材１２に螺合するとともに、支持部材１２の中心軸方向から透明部材１１を挟持する第１蓋部材１３および第２蓋部材１４を有する蓋部材１５と、を備えている。
透明部材１１は、ガラスあるいは硬質プラスチックで形成されており、均質な厚さを有する円筒形状に形成されている。
【００１０】
図２は、表示装置を図１に示したＰ平面で切り、Ａ−Ａ方向に矢視した一部断端面斜視図である。図３は、表示装置の分解斜視図である。
第１蓋部材１３および第２蓋部材１４は、周方向に沿ってそれぞれ、ねじ溝１３Ａ、１４Ａが切られており、支持部材１２のねじ溝部１２Ａに螺合させられている。
支持部材１２は、その周面に沿ってつば部１２Ｂが形成されており、つば部１２により形成される溝部１２Ｃには、表示パネル２０が嵌め込まれている。さらに表示パネル２０の対向する位置には、透明部材１１が第１蓋部材１３および第２蓋部材１４に狭持されている。
この場合において、透明部材１１と第１蓋部材１３との間には気密性を確保するためのリング形状のシール２１が設けられている。同様に、透明部材１１と第２蓋部材１４との間には気密性を確保するためのリング形状のシール２２が設けられている。さらに、支持部材１２と第１蓋部材１３との間には気密性を確保するためのリング形状のシール２３が設けられている。同様に、支持部材１２と第２蓋部材１４との間には気密性を確保するためのリング形状のシール２４が設けられている。
【００１１】
図４は、表示装置の概要構成ブロック図である。
表示装置１０は、大別すると、上述した表示パネル２０と、表示装置１０全体を制御するためのコントローラ３１と、コントローラ３１の制御下で表示パネル２０を駆動するディスプレイドライバ３２と、表示装置１０全体に電源を供給するバッテリ３３と、を備えている。
ここで、コントローラ３１と、ディスプレイドライバ３２とは、制御回路基板８０上に形成されている。
コントローラ３１は、制御プログラムに基づいて、コントローラ３１全体、ひいては、表示装置１０全体を制御するＭＰＵ３４と、制御プログラムを格納したＲＯＭ３５と、各種データを一時的に格納するＲＡＭ３６と、を備え、これらは、図示しないバスにより相互に接続されている。
【００１２】
ここで、表示パネルの構成について説明する。
図５は表示パネルの断面図である。また、図６は表示パネルの部分拡大断面図である。
図５および図６においては、透明電極にのみ斜線を入れ、その他の部材については図面が煩雑になるのを避けるため斜線を省略する。
表示パネル２０には、電気泳動ディスプレイパネルが用いられている。図５に示すように、表示パネル２０は、一対の透明共通電極５０および表示制御電極５１と、これら透明共通電極５０および表示制御電極５１の間に挟み込まれて配置された複数のマイクロカプセル５３とを有している。そして、各マイクロカプセル５３には電気泳動分散液６０（図６参照）が封入されている。表示制御電極５１は、表示パネル２０のセグメント（あるいはドット）４０ごとに設けられた電極であり、これらの表示制御電極５１がフレキシブル基板５４上に形成されている。また、透明共通電極５０は透明なガラス基板５５上に例えばＩＴＯ（Indium-Tin Oxide）を蒸着して形成された透明な電極であり、表示制御電極５１と対向して配置される。この透明共通電極５０は全ての表示制御電極５１にまたがる１枚の電極として構成され、フレキシブル基板５４上に設けられた共通電極５６に接続されて、この共通電極５６と同電位に維持される。
【００１３】
このような構成の表示パネル２０は、ガラス基板５５および透明共通電極５０を介してマイクロカプセル５３が呈する表示色が視認されることとなる。
さて、共通電極５６と各表示制御電極５１には、フレキシブル基板５４に配設（プリント）された図示せぬ電気配線を介して、制御回路基板８０側に設けられたディスプレイドライバ３２から駆動電圧が供給され、マイクロカプセル５３に封入された電気泳動分散液６０に電界が付与される。マイクロカプセル５３内の電気泳動分散液中には、図４に示すように、電気泳動粒子として青色に着色された青粒子６１が分散されている（いわゆる１粒子系）。この青粒子６１はプラス極性に帯電し、また、電気泳動分散液６０が白色に着色されている。
【００１４】
したがって、共通電極５６が０Ｖ電位（アース電位）に保持されて透明共通電極５０が０Ｖ電位とされるとともに、表示制御電極５１にプラス電圧の駆動電圧が供給されてプラス電位とされた場合、表示制御電極５１から透明共通電極５０に向かう電界が発生し、図６に示すように、マイクロカプセル５３内のプラスに帯電した青粒子６１が透明共通電極５０側に移動し、これに伴って、白色の電気泳動分散液６０が表示制御電極５１側に移動する。この結果、マイクロカプセル５３が青色を呈するため、セグメント４０が青を表示する。これとは逆に、共通電極５６にプラス電圧の駆動電圧が供給されて透明共通電極５０がプラス電位とされるとともに、表示制御電極５１が０Ｖ電位に保持された場合には、プラスに帯電した青粒子６１が表示制御電極５１側に移動し、これに伴って、白色の電気泳動分散液６０が透明共通電極５０側に移動するため、結果として、マイクロカプセル５３が白色を呈し、セグメント４０が白を表示する。また、透明共通電極５０と表示制御電極５１との間に電位差を生じない場合には、青粒子６１の移動が生じないため、セグメント４０の表示色は変化せずに以前の状態が維持される。
以上のようにして、表示パネル２０は、情報記憶状態（メモリ状態）で各種情報が表示されることとなる。
【００１５】
次に表示装置の組み立て手順について説明する。
予め第１蓋部材１３のシール用溝１３Ｂには、シール２１が嵌め込まれ、シール用溝１３Ｃには、シール２３が嵌め込まれる。同様に、第２蓋部材１４には、予めシール用溝１４Ｂには、シール２２が嵌め込まれ、シール用溝１４Ｃには、シール２４が嵌め込まれる。
また、支持部材１２には、予めつば部１２Ｂで規定される部分に表示パネル２０が嵌め込まれる。
ついで表示パネル２０が嵌め込まれた支持部材１２は、第１蓋部材１３のガイド突起部１３Ｄの内径部分に収納して、ねじ溝１３Ａに螺合させる。
この状態で、透明部材１１を第１蓋部材１３のガイド突起部１３Ｄの外径部分に嵌め込む。
そして、第２蓋部材１４のガイド突起部１４Ｄの内径部分を支持部材１２に収納して、ねじ溝１４Ａに螺合させ、組み立てを完了する。
以上のように構成することにより、リング形状を有する表示装置１０は、簡易な構成にも拘わらず、確実に表示パネルを密閉状態で収納でき、防水機能、防塵機能を容易に実現できる。
【００１６】
［２］第２実施形態
以上の第１実施形態においては、蓋部材１５は、第１蓋部材１３および第２蓋部材１４により構成していたが、本第２実施形態は、蓋部材を１部材で構成した場合の実施形態である。
図７は、第２実施形態の表示装置を図１に示したＰ平面で切り、Ａ−Ａ方向に矢視した一部断端面斜視図である。図７において、図２と同様の部分には同一の符号を付すものとする。
第２実施形態の蓋部材４１は、支持部材１２Ｘの軸方向の一方の端部に螺合されている。
また、支持部材１２Ｘは、軸方向の他方の端部に、透明部材１１を蓋部材４１と協働して挟持するための挟持部１２Ｘ１が設けられている。
【００１７】
次に第２実施形態の表示装置の組み立て手順について説明する。
予め挟持部１２Ｘ１のシール用溝１２Ｘ２には、シール２１が嵌め込まれる。同様に、蓋部材４１において、予めシール用溝４１Ｂには、シール２４が嵌め込まれ、シール用溝４１Ｃには、シール２２が嵌め込まれる。
また、支持部材１２Ｘには、予め表示パネル２０が嵌め込まれる。
ついで表示パネル２０が嵌め込まれた支持部材１２Ｘには、透明部材１１が嵌め込まれる。
そして、蓋部材４１のガイド突起部４１Ｄの内径部分を支持部材１２Ｘに収納して、ねじ溝４１Ａに螺合させ、組み立てを完了する。
以上のように構成することにより、リング形状を有する表示装置１０Ｘは、簡易な構成にも拘わらず、確実に表示パネルを密閉状態で収納でき、防水機能、防塵機能を容易に実現できる。
【００１８】
［３］第３実施形態
以上の第１実施形態および第２実施形態においては、透明部材を別部材として設けていたが、本第３実施形態は、透明部材と支持部材とを１部材として構成した場合の実施形態である。
図８は、第３実施形態の表示装置を図１に示したＰ平面で切り、Ａ−Ａ方向に矢視した一部断端面斜視図である。図８において、図７と同様の部分には同一の符号を付すものとする。
第３実施形態の支持部材１２Ｙは、透明部材で形成されるとともに、表示パネル２０を収納するための断面リング状の収納溝１２Ｙ１が形成されている。
【００１９】
次に第３実施形態の表示装置の組み立て手順について説明する。
予め収納溝１２Ｙ内には、予め表示パネル２０が収納される。
一方、蓋部材４１において、予めシール用溝４１Ｂには、シール２４が嵌め込まれ、シール用溝４１Ｃには、シール２２が嵌め込まれる。
ついで表示パネル２０が収納された支持部材１２Ｙに対し、蓋部材４１のガイド突起部４１Ｄの内径部分を、ねじ溝４１Ａに螺合させ、組み立てを完了する。
以上のように構成することにより、リング形状を有する表示装置１０Ｙは、簡易な構成かつ部品点数が少ないにも拘わらず、確実に表示パネルを密閉状態で収納でき、防水機能、防塵機能を容易に実現できる。
【００２０】
［４］第４実施形態
以上の各実施形態においては、表示装置は断面円形状を有していたが、本第４実施形態は、断面形状の自由度を向上させるための実施形態であり、断面を略四角形状とする場合の実施形態である。
【００２１】
図９は、第４実施形態の表示装置の外観斜視図である。
表示装置６０は、大別すると、後述する内部の表示パネルが視認可能なように透明材料で略角筒形状に形成された透明部材６１と、後述する表示パネルを支持する略角筒形状の支持部材６２と、支持部材６２に複数のねじ６３によりねじ止めされ、支持部材６２と共働して透明部材６１を挟持する蓋部材６４と、を備えている。
透明部材６１は、ガラスあるいは硬質プラスチックで形成されており、均質な厚さを有する略角筒形状に形成されている。
【００２２】
図１０は、表示装置を図９に示したＱ平面で切り、Ａ−Ａ方向に矢視した一部断端面斜視図である。
支持部材６２には、ねじ孔６２Ａが設けられ、蓋部材６４には、対応する位置にねじ孔６４Ａが設けられており、支持部材６２と蓋部材６４とは、ねじ孔６２Ａを構成するねじ溝およびねじ孔６４Ａを構成するねじ溝にねじ６３が螺合されて表示パネル２０および透明部材６１を挟持している。
次に第４実施形態の表示装置の組み立て手順について説明する。
予め支持部材６２のシール用溝６２Ｂには、シール７１が予め嵌め込まれている。他方、蓋部材６４のシール用溝６４Ｂにはシール７２が、シール用溝６４Ｃには、シール７３がそれぞれ嵌め込まれている。
また、支持部材６２には、予め表示パネル２０が嵌め込まれる。
ついで表示パネル２０が嵌め込まれた支持部材６２には、透明部材６１が嵌め込まれる。
【００２３】
そして、蓋部材６４のねじ孔６４Ａ内および支持部材６２のねじ孔６２Ａ内にねじ６３をねじ込んで螺合させ、支持部材６２と蓋部材６４とを共働させて透明部材６１および表示パネル２０を挟持させ、組み立てを完了する。
以上のように構成することにより、略角筒形状を有する表示装置６０は、簡易な構成にも拘わらず、確実に表示パネルを密閉状態で収納でき、防水機能、防塵機能を容易に実現できる。
【００２４】
［５］第５実施形態
上記第４実施形態においては、ねじ孔の６４Ａの位置が略角筒形状を有する表示装置６０の内周面側寄りとなっていたが、本第５実施形態は、ねじ孔の形成位置の自由度を向上させ、デザイン性を向上する場合の実施形態である。
図１１は、第５実施形態の表示装置の断面図である。
表示装置８０は、大別すると、後述する内部の表示パネルが視認可能なように透明材料で略角筒形状に形成された透明部材８１と、後述する表示パネルを支持する略角筒形状の支持部材８２と、支持部材８２に複数のねじ８３によりねじ止めされ、支持部材８２と共働して透明部材８１を挟持する蓋部材８４と、を備えている。
透明部材８１は、ガラスあるいは硬質プラスチックで形成されており、均質な厚さを有する略角筒形状に形成されている。
【００２５】
ここで、支持部材８２には、蓋部材８４に対向する位置にねじ受け部８２Ａが形成されており、このねじ受け部８２Ａには、蓋部材８４の図１１中、左方向に突設されたねじ孔８４Ａを有するねじ孔部８４Ｂに対向する位置にねじ孔８２Ｂが形成されている。これらの結果、支持部材８２と蓋部材８４とは、ねじ８３により螺合されて、表示パネル２０および透明部材８１を挟持している。
【００２６】
次に第５実施形態の表示装置の組み立て手順について説明する。
予め支持部材８２のシール受部８２Ｃには、断面Ｌ字状のシール８５が予め嵌め込まれている。他方、蓋部材８４のねじ孔部８４Ｂの周面にリング状のシール８６が予め嵌め込まれている。
【００２７】
また、ねじ８３にも、リング状のシール８７が予め嵌め込まれている。
まず、支持部材８２には、表示パネル２０が嵌め込まれる。
ついで表示パネル２０が嵌め込まれた支持部材８２には、透明部材８１が嵌め込まれる。
【００２８】
そして、蓋部材８４を支持部材８２に嵌め込んだ状態で、ねじ孔８４Ａ内にシール８７を嵌め込んだ状態のねじ８３をねじ込んで蓋部材８４に螺合させる。
その後、さらにねじ８３をねじ込んでねじ受部８２Ａに螺合させる。
これらの結果、支持部材８２と蓋部材８４とを共働させて透明部材８１および表示パネル２０を挟持させ、組み立てを完了する。
以上のように構成することにより、略角筒形状を有する表示装置８０は、簡易な構成にも拘わらず、確実に表示パネルを密閉状態で収納でき、防水機能、防塵機能を容易に実現できる。
さらに、ねじ８３のねじ孔８４Ｂの位置を蓋部材８４の端面８４Ｃにおいて、ほぼ中央
部分に位置させることも可能となり、デザイン性の向上も図れる。
【００２９】
［６］第６実施形態
上記第４実施形態および第５実施形態においては、ねじ止めにより支持部材と蓋部材とを互いに固定していたが、本第６実施形態は、圧入により支持部材と蓋部材とを固定する場合の実施形態である。
【００３０】
図１２は、第６実施形態の表示装置の外観斜視図である。
図１３は、第６実施形態の表示装置の断面図である。
表示装置９０は、大別すると、後述する内部の表示パネルが視認可能なように透明材料で略角筒形状に形成された透明部材９１と、後述する表示パネルを支持する略角筒形状の支持部材９２と、支持部材９２に嵌合されて固定され、支持部材９２と共働して透明部材９１を挟持する蓋部材９３と、を備えている。
【００３１】
透明部材９１は、ガラスあるいは硬質プラスチックで形成されており、均質な厚さを有する略角筒形状に形成されている。
支持部材９２は、表示パネル２０を支持するための第１支持部材９２Ａおよび第２支持部材９２Ｂ並びに蓋部材９３が嵌合される嵌合つば部９２Ｃを有している。
蓋部材９３は、リング状の嵌合用突起部（嵌合部）９３Ａが設けられており、この嵌合用突起部９３Ａに沿って断面Ｌ字形状を有するリング状の第１シール９４Ａが、図中、嵌合用突起部９３Ａの上面側に設けられている。同様に嵌合用突起部９３Ａに沿って断面Ｌ字状を有するリング状の第２シール９４Ｂが、図中、嵌合用突起部９３Ａの下面側に設けられている。
【００３２】
次に第６実施形態の表示装置の組み立て手順について説明する。
まず蓋部材９３の嵌合用突起部９３Ａには、第１シール９４Ａおよび第２シール９４Ｂを嵌め込んだ状態としておく。
そして、支持部材９２の第１支持部材９２Ａおよび第２支持部材９２Ｂには、表示パネル２０が載置され、嵌め込まれる。
ついで表示パネル２０が嵌め込まれた支持部材９２には、リング状の透明部材９１が図中、右方向から嵌め込まれる。
【００３３】
この状態において、透明部材９１および支持部材９２の嵌合つば部９２Ｃにより形成される嵌合溝９５内に蓋部材９３の嵌合用突起部９３Ａが圧入され、固定されることにより、透明部材９１および表示パネル２０を挟持させ、組み立てを完了する。
以上のように構成することにより、略角筒形状を有する表示装置９０は、簡易な構成にも拘わらず、蓋部材９３の嵌合用突起部９３Ａを透明部材９１および支持部材９２の嵌合つば部９２Ｃにより形成される嵌合溝９５内に圧入固定するだけで、確実に表示パネルを密閉状態で収納でき、防水機能、防塵機能を容易に実現できる。
【００３４】
［７］第７実施形態
上記第６実施形態においては、単純に支持部材と透明部材とで形成される嵌合溝内に蓋部材の嵌合用突起部を圧入する構成を採っていたが、本第７実施形態は、圧入し、さらに、支持部材と蓋部材とを係合固定する場合の実施形態である。
本第７実施形態の表示装置の外観は、図１２に示した第６実施形態と同様となっている。
【００３５】
図１４は、第７実施形態の表示装置の断面図である。
図１５は、第7実施形態の要部断面斜視図である。
表示装置１００は、大別すると、後述する内部の表示パネルが視認可能なように透明材料で外観視略角筒形状に形成された透明部材１０１と、後述する表示パネルを支持する略角筒形状の支持部材１０２と、支持部材１０２に嵌合されて固定され、支持部材１０２と共働して透明部材１０１を挟持する蓋部材１０３と、を備えている。
透明部材１０１は、ガラスあるいは硬質プラスチックで形成されており、均質な厚さを有する略角筒形状に形成されている。
【００３６】
支持部材１０２は、表示パネル２０を支持するための第１支持部材１０２Ａおよび第２支持部材１０２Ｂ、蓋部材１０３が係合される係止部１０２Ｃ並びに蓋部材１０３が嵌合される嵌合つば部１０２Ｄを有している。
蓋部材１０３は、リング状の嵌合用突起部（嵌合部）１０３Ａが設けられており、この嵌合用突起部１０３Ａに沿って断面Ｌ字形状を有するリング状の第１シール１０４Ａが、図中、嵌合用突起部１０３Ａの上面側に設けられている。同様に嵌合用突起部１０３Ａに沿って断面Ｌ字状を有するリング状の第２シール１０４Ｂが、図中、嵌合用突起部１０３Ａの下面側に設けられている。
さらに蓋部材１０３は、可撓性の腕部１０３Ｂおよびこの腕部１０３Ｂに支持される係合部１０３Ｃを有している。腕部１０３Ｂは、嵌合用突起部１０３Ａから延設されている。
【００３７】
ここで、係止部１０２Ｃおよび係合用突起部１０３Ａの形状について詳細に説明する。
図１６は、係止部および係合用突起部の寸法関係説明平面図である。
図１７は、係止部および係合用突起部の係合状態説明図である。
係合部１０３Ｃは、上面からみた場合、嵌合用突起部１０３Ａ側に凸となる家形状を有しており、係止部１０２Ｃは嵌合用突起部１０３Ａに凹形状が形成されている。
図１６に示すように、腕部１０３Ｂを係止部１０２Ｃに係合させずに支持部材１０２内に腕部１０３Ｂを矢印Ｄ１方向に挿入し、支持部材１０２に蓋部材１０３が第１シール１０４Ａおよび第２シール１０４Ｂを介して突き当たる状態とした場合に、腕部１０３Ｂの先端から係合部１０３Ｃの突端１０３Ｃ-1が係止部１０２に係合する際に当接する当接凹部１０２Ｃ-1までの直線距離Ｌ１が腕部１０３Ｂの先端から係合部１０３Ｃの突端１０３Ｃ-1までの長さＬ２は、
Ｌ１ ＜Ｌ２
となっており、図１７に示すように、係止部１０２に係合部１０３Ｃを係合させる場合に、第１シール１０４Ａ、第２シール１０４Ｂおよび支持部材側シール１０５を押しつぶしつつ、係合し、確実に密封性を確保することができる。
【００３８】
次に第７実施形態の表示装置の組み立て手順について説明する。
まず蓋部材１０３の嵌合用突起部１０３Ａには、第１シール１０４Ａおよび第２シール１０４Ｂを嵌め込んだ状態としておく。一方、支持部材１０２のシール受け部１０２Ｅに鴟尾部材側シール１０５を嵌め込んだ状態としておく。
そして、支持部材１０２の第１支持部材１０２Ａおよび第２支持部材１０２Ｂには、表示パネル２０が載置され、嵌め込まれる。
ついで表示パネル２０が嵌め込まれた支持部材１０２には、リング状の透明部材１０１が図１４中、右方向から嵌め込まれる。
この状態において、透明部材１０１および支持部材１０２の嵌合つば部１０２Ｃにより形成される嵌合溝１０６内に蓋部材１０３の嵌合用突起部１０３Ａを図１６に示すような状態で矢印Ｄ１方向に挿入する。
続いて蓋部材１０３を矢印Ｄ２方向に回動させ、係合部１０３Ｃの当接斜面１０３Ｃ-2を係止部１０２Ｃの当接斜面１０２Ｃ-2に当接させ、さらに蓋部材１０３を矢印Ｄ2方向に回動させる。
これにより、腕部１０３Ｂを撓ませつつ、支持部材１０２の係止部１０２Ｃおよび係合部１０３Ｃを摺動させて、係止部１０２Ｃおよび係合部１０３Ｃを係合させ、第１シール１０４Ａ、第２シール１０４Ｂおよび支持部材側シール１０５を押しつぶしつつ、支持部材１０２および蓋部材１０３を嵌合させ、透明部材１０１および表示パネル２０を挟持させ、組み立てを完了する。
以上のように構成することにより、略角筒形状を有する表示装置１００は、簡易な構成にも拘わらず、確実に表示パネルを密閉状態で収納でき、防水機能、防塵機能を容易に実現できる。
【００３９】
以上の説明のように、各実施形態によれば、簡易な構成で確実に表示パネルを密閉状態で収納することが可能であり、防水機能あるいは防塵機能などに優れたリング型の表示装置を容易に実現することができる。
【００４０】
なお、上述した実施の形態は、あくまでも本発明の一態様を示すものであり、本発明の範囲内で任意に変形および応用が可能である。
以上の説明においては、電気泳動ディスプレイパネルを用いた場合について説明したが、湾曲可能なディスプレイであれば、液晶ディスプレイ、ＥＬディスプレイなど様々なディスプレイを適用することが可能である。
【００４１】
また例えば、マイクロカプセル５３に電気泳動分散液６０を封入する構成に限らず、各セグメント４０を密閉構造として、それぞれのセグメント４０に電気泳動分散液６０を注入する構成としても良い。
また、上述した実施の形態では、本発明に係る表示装置を腕装着型の電子機器の表示部に適用した場合を例示したが、リング形状（円筒状、角筒形状、多角筒形状など）であれば、他の電子機器（ＰＤＡ、携帯電話など）の表示部にも適用可能である。
【図面の簡単な説明】
【００４２】
【図１】実施形態の表示装置の外観斜視図である。
【図２】表示装置を図１に示したＰ平面で切り、Ａ−Ａ方向に矢視した一部断端面斜視図である。
【図３】表示装置の分解斜視図である。
【図４】表示装置の概要構成ブロック図である。
【図５】表示パネルの断面図である。
【図６】表示パネルの部分拡大断面図である。
【図７】第２実施形態の表示装置を図１に示したＰ平面で切り、Ａ−Ａ方向に矢視した一部断端面斜視図である。
【図８】第３実施形態の表示装置を図１に示したＰ平面で切り、Ａ−Ａ方向に矢視した一部断端面斜視図である。
【図９】第４実施形態の表示装置の外観斜視図である。
【図１０】表示装置を図９に示したＱ平面で切り、Ａ−Ａ方向に矢視した一部断端面斜視図である。
【図１１】第５実施形態の表示装置の断面図である。
【図１２】第６実施形態の表示装置の外観斜視図である。
【図１３】第６実施形態の表示装置の断面図である。
【図１４】第７実施形態の表示装置の断面図である。
【図１５】第7実施形態の要部断面斜視図である。
【図１６】係止部および係合用突起部の寸法関係説明平面図である。
【図１７】係止部および係合用突起部の係合状態説明図である。
【符号の説明】
【００４３】
１０、１０Ｘ、１０Ｙ、６０、８０、９０、１００…表示装置、１１、６１、８１、９１、１０１…透明部材、１２…支持部材、１３…第１蓋部材、１４…第２蓋部材、１５、４１、６４、…蓋部材、２１〜２４…シール。
【図１】
2007072434.tif 000003
【図２】
2007072434.tif 000004
【図３】
2007072434.tif 000005
【図４】
2007072434.tif 000006
【図５】
2007072434.tif 000007
【図６】
2007072434.tif 000008
【図７】
2007072434.tif 000009
【図８】
2007072434.tif 000010
【図９】
2007072434.tif 000011
【図１０】
2007072434.tif 000012
【図１１】
2007072434.tif 000013
【図１２】
2007072434.tif 000014
【図１３】
2007072434.tif 000015
【図１４】
2007072434.tif 000016
【図１５】
2007072434.tif 000017
【図１６】
2007072434.tif 000018
【図１７】
2007072434.tif 000019